(57)【要約】【課題】  シャッタ部材を円滑に開閉させる。【解決手段】  下シェル７に設けられたガイドピン３７に、スリット溝３８を設けることで、外部から衝撃や振動等の応力がガイドピン３７に加わったとしても、スリット溝３８で外部からの応力を適切に吸収してガイド孔５３からガイドピン３７が外れることを抑制でき、円滑にシャッタ部材５ａ，５ｂのシャッタ開閉動作を行うことができる。【選択図】  図１８
2005285310.tif 000002
【特許請求の範囲】
【請求項１】
第１の記録及び／又は再生用の第１の開口部が形成された下シェルに上シェルが突き合わせて結合されるカートリッジ本体と、
上記カートリッジ本体内に回転可能に配置され、ディスクが回転可能に収納されると共に、主面部に上記第１の開口部に対応する第２の開口部が設けられた中シェルと、
上記下シェルと上記中シェルとの間で上記中シェルに対して回動可能に配置され、上記中シェルが回転して上記第１の開口部と上記第２の開口部とが略一致したときに上記第１の及び第２の開口部を開放し、上記ディスクを外部に臨ませる一対のシャッタ部材とを備え、
上記一対のシャッタ部材のうち少なくとも一方は、下シェルに設けられたガイドピンが当該シャッタ部材に設けられたガイド孔に係合することでガイドされ、
上記ガイドピンには、先端から基端に向かってスリットが設けられていることを特徴とするカートリッジ。
【請求項２】
上記スリットは、上記一対のシャッタ部材が第１及び第２の開口部を閉塞しているとき、上記ガイド孔と略同じ方向に設けられていることを特徴とする請求項１記載のカートリッジ。
【請求項３】
上記ガイド孔は、上記下シェル側より上記中シェル側が幅広にされ、
上記ガイドピンは、上記基端から上記先端に向かうにつれて太くされていることを特徴とする請求項１記載のカートリッジ。
【請求項４】
上記ガイドピンの先端部は、幅広に形成され
上記ガイド孔の周囲には、上記幅広の先端部の逃げ部が設けられていることを特徴とする請求項１記載のカートリッジ。
【請求項５】
上記ガイド孔には、上記一対のシャッタ部材が上記第１及び第２の開口部を開放しているとき上記ガイドピンが位置する端部に、上記ガイドピンの先端部の挿入孔が設けられていることを特徴とする請求項３又は請求項４記載のカートリッジ。
【請求項６】
第１の記録及び／又は再生用の第１の開口部が形成された下シェルに上シェルが突き合わせて結合されるカートリッジ本体と、
上記カートリッジ本体内に回転可能に配置され、ディスクが回転可能に収納されると共に、主面部に上記第１の開口部に対応する第２の開口部が設けられた中シェルと、
上記下シェルと上記中シェルとの間で上記中シェルに対して回動可能に配置され、上記中シェルが回転して上記第１の開口部と上記第２の開口部とが略一致したときに上記第１の及び第２の開口部を開放し、上記ディスクを外部に臨ませる一対のシャッタ部材とを備え、
上記一対のシャッタ部材のうち少なくとも一方は、下シェルに設けられたガイドピンが当該シャッタ部材に設けられたガイド孔に係合することでガイドされ、
上記ガイドピンは、上記ガイド孔より幅広の抜け止め部が設けられていることを特徴とするカートリッジ。
【請求項７】
上記ガイド孔の周囲には、上記抜け止め部が係合する逃げ部が設けられていることを特徴とする請求項６記載のカートリッジ。
【請求項８】
上記抜け止め部は、略半円状に張り出して形成され、
上記ガイド孔には、ガイド方向に沿った両側に上記逃げ部が設けられていることを特徴とする請求項７記載のカートリッジ。
【請求項９】
上記ガイド孔の端面は、傾斜面部が形成されていることを特徴とする請求項６記載のカートリッジ。
【発明の詳細な説明】
【技術分野】
【０００１】
本発明は、記録媒体となるディスクを収納し、一対のシャッタ部材を開放することディスクを外部に臨ませることが可能なカートリッジに関する。
【背景技術】
【０００２】
ディスク状記録媒体としては、例えば音声、映像或いはコンピュータのデータ等情報の記録及び再生が可能な追記型或いは書換型の光ディスク等が知られている。そして、このような光ディスクは、信号記録面に塵埃、指紋等の異物が付着するとデータの記録再生を確実に行うことができなくなることから、例えばディスクカートリッジ等に収納されて用いられている。
【０００３】
光ディスク等が収納されるディスクカートリッジは、例えばカートリッジ本体内に光ディスクを回転可能に収納し、カートリッジ本体に設けられた記録再生用の開口部をシャッタ部材で閉塞し、専用の記録及び／又は再生装置に装填したときに限って、シャッタ部材が移動し記録再生用の開口部を開放する。
【０００４】
具体的には、図３７及び図３８に示すようなディスクカートリッジ２０１が例えば特許文献１及び特許文献２で提案されている。このディスクカートリッジ２０１は、上シェル２０２ａと下シェル２０２ｂとが突き合わされてディスク状記録媒体２０３を収納する収納空間を形成するカートリッジ本体２０２と、カートリッジ本体２０２内でディスク状記録媒体２０３を回転可能に保持するインナーロータ２０４と、ディスク状記録媒体２０３に記録及び／又は再生するときにディスク状記録媒体２０３を外部に臨ませるように開口する一対のシャッタ部材２０５ａ，２０５ｂとにより構成されている。
【０００５】
このディスクカートリッジ２０１においては、カートリッジ本体２０２内でインナーロータ２０４を一方向に回転させると、シャッタ部材２０５ａ，２０５ｂがカートリッジ本体２０２の下シェル２０２ｂに設けた開口部２０６を閉塞する位置に移動し、ディスク状記録媒体２０３が外部に曝されないように保護する。一方、ディスクカートリッジ２０１においては、インナーロータ２０４を他方向に回転させると、シャッタ２０５ａ，２０５ｂが開口部２０６を開口する位置に移動し、ディスク状記録媒体２０３を開口部２０６を介して外部に臨ませるようにする。
【０００６】
カートリッジ本体２０２内で開閉動作をする一対のシャッタ部材２０５ａ，２０５ｂは、インナーロータ２０４の回転に伴い、所定の位置を基点に回動するようにされている。一対のシャッタ部材２０５ａ，２０５ｂは、一対のシャッタ部材２０５ａ，２０５ｂに設けられ長孔状をなすガイド孔２０７に、下シェルの内面に設けられたガイドピン２０８を摺動可能に係合させた状態でシャッタ部材２０５ａ，２０５ｂが回動すると、ガイドピン２０８がガイド孔２０７内を移動してシャッタ部材２０５ａ，２０５ｂが開閉する。すなわち、一対のシャッタ部材２０５ａ，２０５ｂは、ガイドピン２０８がガイド孔２０７に沿って移動することで所定の方向に開閉動作する。
【０００７】
ところで、上述したディスクカートリッジ２０１においては、ディスク状記録媒体２０３をカートリッジ本体２０２内で回転自在にさせるために、下シェル２０２ｂ、インナーロータ２０４、シャッタ部材２０５ａ，２０５ｂ等の各部材の肉厚を可能な限り薄くする必要がある。このため、下シェル２０２ｂ、インナーロータ２０４、シャッタ部材２０５ａ，２０５ｂを例えば射出成形等で形成した際に、その肉厚を可能な限り薄く形成していることから、厚み方向に反りが生じる虞がある。
【０００８】
また、下シェル２０２ｂ、インナーロータ２０４、シャッタ部材２０５ａ，２０５ｂにおいては、その肉厚が薄く形成されていることから、剛性が低く、例えばディスクカートリッジを記録及び／又は再生装置等から取り出したときに誤って床に落下させる等して外部から応力が加わると変形してしまうことがある。
【０００９】
この場合、例えば落下や振動等といった外部からの衝撃がカートリッジ本体２０２から内部のシャッタ部材２０５ａ，２０５ｂや図３９（Ａ）に示すガイドピン２０８等に加わると、剛性が低い下シェル２０２ｂやシャッタ部材２０５ａ，２０５ｂ等が変形して図３９（Ｂ）に示すようにガイドピン２０８がガイド孔２０７より抜け出てしまい、さらには図３９（Ｃ）に示すように完全にガイド孔２０７からガイドピン２０８が外れてしまうことがある。このようにガイドピン２０８がガイド孔２０７から外れたディスクカートリッジ２０１では、一対のシャッタ部材２０５ａ，２０５ｂの開閉動作に不具合を引き起こす虞がある。すなわち、一対のシャッタ部材２０５ａ，２０５ｂを所定の方向に適切に開閉動作させることが困難になる。
【００１０】
【特許文献１】特開２００１−３３２０５４号公報
【特許文献２】特開２００２−５０１４７号公報
【発明の開示】
【発明が解決しようとする課題】
【００１１】
本発明は、外部から衝撃が加わったときに、ガイドピンがガイド孔から外れることを防ぎ、円滑且つ適切なシャッタ開閉動作が可能なシャッタ部材を備える優れたカートリッジを提供するものである。
【課題を解決するための手段】
【００１２】
本発明に係るカートリッジは、第１の記録及び／又は再生用の第１の開口部が形成された下シェルに上シェルが突き合わせて結合されるカートリッジ本体と、上記カートリッジ本体内に回転可能に配置され、ディスクが回転可能に収納されると共に、主面部に上記第１の開口部に対応する第２の開口部が設けられた中シェルと、下シェルと中シェルとの間で中シェルに対して回動可能に配置され、中シェルが回転して第１の開口部と第２の開口部とが略一致したときにディスクを第１の及び第２の開口部より外部に開放する一対のシャッタ部材とを備える。一対のシャッタ部材のうち少なくとも一方は、下シェルに設けられたガイドピンがシャッタ部材に設けられた長孔状をなすガイド孔に係合することでガイドされ、ガイドピンには、先端から基端に向かってスリットが設けられている。
【００１３】
このカートリッジにおいては、シャッタ部材をガイドするガイドピンにスリット溝が設けられていることで、例えば落下や振動等といった外部からの衝撃が下シェルやシャッタ部材、さらにはガイドピンに加わったとしても、ガイドピンに設けられたスリットで外部からの衝撃を吸収し、ガイドピンがガイド孔から外れることを抑える。
【００１４】
また、本発明に係るカートリッジは、第１の記録及び／又は再生用の第１の開口部が形成された下シェルに上シェルが突き合わせて結合されるカートリッジ本体と、上記カートリッジ本体内に回転可能に配置され、ディスクが回転可能に収納されると共に、主面部に上記第１の開口部に対応する第２の開口部が設けられた中シェルと、上記下シェルと上記中シェルとの間で上記中シェルに対して回動可能に配置され、上記中シェルが回転して上記第１の開口部と上記第２の開口部とが略一致したときに上記第１の及び第２の開口部を開放し、上記ディスクを外部に臨ませる一対のシャッタ部材とを備える。上記一対のシャッタ部材のうち少なくとも一方は、下シェルに設けられたガイドピンが当該シャッタ部材に設けられたガイド孔に係合することでガイドされ、上記ガイドピンは、上記ガイド孔より幅広の抜け止め部が設けられている。
【００１５】
このカートリッジにおいては、例えば落下や振動等といった外部からの衝撃が下シェルやシャッタ部材、さらにはガイドピンに加わったとしても、抜け止め部でガイドピンがガイド孔より外れることを防止する。
【発明の効果】
【００１６】
本発明によれば、例えば落下や振動等といった外部からの衝撃が下シェルやシャッタ部、さらにはガイドピンに加わったとしても、ガイドピンに設けられたスリット溝の切り欠かれた空間部で外部からの衝撃を吸収し、ガイドピンがガイド孔から外れることを抑制できることから、円滑且つ適切なシャッタ開閉動作を行うことができる。また、本発明によれば、下シェルを射出成形したときに、外筐となる下シェルの内面に設けられたガイドピンにスリット溝を設けたことで、下シェルの外面、すなわちカートリッジの表面のガイドピンに対応する位置にヒケマークが発生することを防止でき、外観不良を抑制できる。
【００１７】
また、本発明によれば、ガイドピンにガイド孔より幅広の抜け止め部が設けられていることから、落下や振動等といった外部からの衝撃が下シェルやシャッタ部、さらにはガイドピンに加わったとしても、ガイドピンがガイド孔から外れることを防止することができる。
【発明を実施するための最良の形態】
【００１８】
以下、本発明が適用されたカートリッジについて、図面を参照して説明する。図１乃至図３に示す本発明が適用されたカートリッジ１は、光ディスクを収納して光ディスクの信号記録面３ａに塵埃、指紋等の異物が付着することを防ぐものであり、外筐となるカートリッジ本体２の内部に、記録媒体となる光ディスク３と、中シェルとなるインナーロータ４と、一対のシャッタ部材５ａ，５ｂとが収納されている。そして、カートリッジ本体２は、一組の上シェル６と下シェル７とを互いに組み合わせて構成されている。
【００１９】
このカートリッジ１に収納された光ディスク３は、図２に示すように、例えばＣＤやＤＶＤと同じ直径を１２ｃｍとなし、中心部に、記録再生装置側のディスク回転駆動機構が係合されるセンタ孔３ｂが形成されている。
【００２０】
この光ディスク３は、信号記録面３ａに、合成樹脂製の基板の一方の面にランドとグルーブからなる所定パターンを形成し、この所定パターン上に光ビームを反射する反射層を設け、この反射層上に相変化材料、有機色素材料等からなる信号記録層を設け、この信号記録層上に光透過層を設けるようにし、光透過層側から光ビームを照射し、ランド及び／又はグルーブにデータを記録するようになっている。
【００２１】
そして、この光ディスク３では、記録及び／又は再生にあたって、波長が４００ｎｍ程度の光ビームを用い、光ピックアップの対物レンズに、ＣＤやＤＶＤで用いる対物レンズより高開口数のものを用いることで、ＣＤやＤＶＤより高密度に、静止画データ、動画データ、楽曲データ、コンピュータで処理される処理データ等のデータを記録記録面３ａに記録することができる。なお、記録媒体としては、この他に、光磁気ディスク、磁気ディスク等を用いてもよい。また、記録媒体としては、その他、再生専用の光ディスク等の記録媒体を用いるようにしてもよい。更に、クリーニングディスクが収納されていても良い。
【００２２】
上シェル６は、図４に示すように、アクリロニトリル・ブタジエン・スチレン（ＡＢＳ）等の熱可塑性を有する樹脂材料を射出成形することにより形成されている。この上シェル６は、全体略矩形状の主面のうち、記録再生装置への挿入端側となる前面が略円弧形状とされている。また、この上シェル６には、カートリッジ本体２の側面をなす外周壁８が主面の外周縁部に沿って立設されている。
【００２３】
外周壁８には、前面側の中央部に位置して、記録再生装置７０側の光ピックアップを進入させるための第１のピックアップ進入用凹部９が切り欠き形成されている。また、外周壁８には、背面側の中央部に位置して、下シェル７との位置決めを行うための位置決め用凹部１０とが切り欠き形成されている。
【００２４】
外周壁８の内周側には、光ディスク３を回転可能に収納するディスク収納部を構成する略円環状の内周壁１１が立設されている。この内周壁１１には、前面側の中央部に位置して、後述する記録再生装置７０の光ピックアップ７５を進入させるための第２のピックアップ進入用凹部１２が切り欠き形成されている。
【００２５】
また、内周壁１１の外周側には、この内周壁１１を囲むようにして更に立ち上がり壁が立設され、内周壁１１とこの立ち上がり壁とで略円環状のガイド溝１３が形成されている。このガイド溝１３には、後述するインナーロータ４が回動可能に係合される。また、ガイド溝１３の底面部には、前面側の中央部及び背面側の中央部に位置して、インナーロータ４を上シェル６から離間する方向に移動させるための一対のリフトアップ用凸部１４が突出形成されている。
【００２６】
また、上シェル６には、各コーナ部６ａ，６ｂ，６ｃ，６ｄのうち、シャッタ部材５ａ，５ｂロックするロック部材を収納するロック収納部を形成する前面側の一方コーナ部６ａを除く、残りのコーナ部６ｂ，６ｃ，６ｄに位置して、内部に塵埃等の侵入を防止するための上側コーナ壁１５がそれぞれ立設されている。
【００２７】
この上側コーナ壁１５は、外周壁８とガイド溝１３との間で周囲を囲むようにして形成されている。また、この上側コーナ壁１５と外周壁８との間には、第１の溝部１６が形成されており、この上側コーナ壁１５とガイド溝１３との間には、第２の溝部１７が形成されている。また、上シェル６には、背面側の一方コーナ部６ｃに、誤記録防止部材が収納される収納部を構成する上側立ち上がり壁１８が立設されている。また、この上側立ち上がり壁１８と上側コーナ壁１５との間には、第３の溝部１９が形成されている。また、上シェル６には、各コーナ部６ａ，６ｂ，６ｃ，６ｄ近傍に、下シェル７を結合するための位置決めピン２０が形成されており、これら位置決めピン２０は、中心部に、ねじ止めするためのねじ孔が形成されている。
【００２８】
以上のように構成される上シェル６に結合される下シェル７は、図２、図３及び図５に示すように、上述した上シェル６と同様に、アクリロニトリル・ブタジエン・スチレン（ＡＢＳ）等の熱可塑性を有する樹脂材料を射出成形することにより形成されている。この下シェル７は、全体略矩形状の主面のうち、記録再生装置に挿入される前面側が略円弧形状とされている。この下シェル７には、カートリッジ本体の側面をなす外周壁２１が主面の外周縁に沿って立設されている。
【００２９】
また、外周壁２１の背面側には、上述した上シェル６側の位置決め用凹部１０に係合されることによって、上シェル６と下シェル７との位置決めを行う位置決め壁２２が形成されている。また、外周壁２１の背面側には、上述した上シェル６側の第１の溝部１６に係合されることによって、上シェル６と下シェル７との間から塵埃等が内部に侵入するのを防止する防塵壁２３が形成されている。
【００３０】
この下シェル７には、外周壁２１の前面側の中央部に光ピックアップが進入できるように開放された開口部２４が設けられている。この開口部２４は、前面側の開放端から光ディスク３の信号記録面３ａの一部が内外周に亘って外方へ臨ませる略矩形状の記録再生用の開口部２４ａと、開口部２４ａと連続した光ディスク３の中心孔３ｂが外部に臨ませる回転駆動用の開口部２４ｂとにより構成されている。
【００３１】
すなわち、記録再生用の開口部２４ａは、記録再生装置の光ピックアップをカートリッジ本体２の内部に進入させるのに足る大きさに形成されており、回転駆動用の開口部２４ｂは、記録再生装置７０のディスク回転駆動機構を構成するディスクテーブル７６をカートリッジ本体２の内部へと進入させるのに足る大きさに形成されている。
【００３２】
下シェル７には、各コーナ部７ａ，７ｂ，７ｃ，７ｄのうち、ロック収納部を形成する前面側の一方コーナ部７ａに位置して、ロック部材２９を回動可能に支持する支軸２５が突設されている。また、この前面側の一方コーナ部７ａを除く、残りの各コーナ部７ｂ，７ｃ，７ｄには、上述した上シェル６の第２の溝部１７に係合する略円弧状の下側コーナ壁２６が立設されている。更に、背面側の一方コーナ部７ｃには、上述した上シェル６の第３の溝部１９に係合される下側立ち上がり壁２７が立設されている。
【００３３】
また、下シェル７には、上述した上シェル６の位置決めピン２０にと嵌合される略円筒状の位置決めキャップ２８が突出形成されており、この位置決めキャップ２８の底面部には、止めねじが挿通される貫通孔が形成されている。
【００３４】
上シェル６と下シェル７とを結合するとき、上シェル６側の位置決め用凹部１０と下シェル７側の位置決め壁２２とが係合され、また、上シェル６側の位置決めピン２０と下シェル７側の位置決めキャップ２８とが嵌合され、さらに、上シェル６側の第１の溝部１６、第２の溝部１７及び第３の溝部１９には、下シェル７側の防塵周壁２３、下側コーナ周壁２６及び下側立ち上がり壁２７がそれぞれ係合される。そして、この位置決めピン２０のねじ孔に位置決めキャップ２８の貫通孔を通して止めねじが螺合される。このようにして、カートリッジ本体２が構成される。
【００３５】
カートリッジ本体２には、図６に示すように、上シェル６と下シェル７とが重ね合わされることによって、カートリッジ本体２の側面に略内接するようにしてディスク収納部２ａが形成される。具体的には、上シェル６と、後述するインナーロータ４の主面４ａとで、光ディスク３を回転可能に収納するディスク収納部２ａが形成される。
【００３６】
また、カートリッジ本体２においては、前面側の一方コーナ部６ａ，７ａに、ロック部材２９が回動可能に収納される収納部と、背面側の一方コーナ部６ｃ，７ｃに、誤記録防止部材３０がスライド可能に収納される収納部とが形成される。
【００３７】
ロック部材２９は、後述するインナーロータ４及び一対のシャッタ部材５ａ，５ｂがカートリッジ本体２の開口部２４を閉塞する閉塞位置にあるときに、インナーロータ４の回転をロックする。
【００３８】
このロック部材２９は、図２に示すように、本体に設けられた下シェル７の支軸２５に回動可能に係合される係合孔３１と、この係合孔３１からカートリッジ本体２の一方側面部に向かって延長された操作片３２と、この係合孔３１からディスク収納部２ａに向かって延長されたストッパ片３３と、この係合孔３１からカートリッジ本体２の前面側の内側面に向かって延長されたバネ片３４とを有している。
【００３９】
操作片３２の先端部には、カートリッジ本体２の一方側面部に形成されたロック用開口部３５ａから外部に臨む操作突部３２ａが設けられている。また、ストッパ片３３の先端部には、インナーロータ４のリング部４３と摺接するストッパ突部３３ａが設けられている。バネ片３４は、弾性変位した状態でカートリッジ本体２の前面側の内側面と当接されている。したがって、バネ片３４の弾性力により操作片３２の操作突部３２ａは、ロック用開口部３５ａから突出する方向に付勢され、また、ストッパ片３３のストッパ突部３３ａは、インナーロータ４のリング部４３に当接される方向に付勢され、インナーロータ４の第２の係合凹部４２に係合される。そして、このロック部材２９は、操作片３２の操作突部３２ａが押圧されることによって、バネ片３４の付勢力に抗してストッパ片３３がインナーロータ４のリング部４３から離間する方向に移動され、ストッパ突部３３ａは、第２の係合凹部４２との係合状態が解除される。
【００４０】
また、誤記録防止部材３０は、カートリッジ本体２の背面側の側面部に沿って操作されることによって、例えば検出孔を開放する記録可能位置と検出孔を閉塞する記録禁止位置とに亘って移動する。
【００４１】
カートリッジ本体２の一方側面部には、カートリッジ１の記録再生装置への誤挿入を防止するためのガイド溝３６が前面側から背面側に亘って形成されている。このガイド溝３６の底面部には、前面側から順に、上述したロック部材２９の操作凸部３２ａを外部に臨ませるロック用開口部３５ａと、インナーロータ４の外周部の一部を外部に臨ませるロータ用開口部３５ｂとが形成されている。
【００４２】
下シェル７の内面には、後述するシャッタ部材５ａ，５ｂに長孔状に設けられたガイド孔５３と係合するガイドピン３７が略円柱状に突出形成されている。このガイドピン３７は、後述するシャッタ部材５ａ，５ｂが支点にして回動したときに、ガイド孔５３に係合された状態で孔内を長尺方向に移動してシャッタ部材５ａ，５ｂが開口部２４を開放したり閉塞したりする開閉動作をガイドする。
【００４３】
このガイドピン３７は、基端部３７ｂから先端部３７ａまでの寸法、いわゆる高さの寸法が、シャッタ部材５ａ，５ｂの厚み寸法以下にされている。これにより、ガイドピン３７においては、ガイド孔５３に係合されたときに、ガイド孔５３より先端部３７ａが突出することがなく、例えば下シェル７に対してシャッタ部材５ａ，５ｂを介して対向するインナーロータ４に先端部３７ａが当たることなく、適切にシャッタ部材５ａ，５ｂを所定の方向にガイドできる。
【００４４】
このガイドピン３７には、図７に示すように、先端部３７ａから基端部３７ｂに向かって切り欠かれたスリット溝３８が設けられている。これにより、ガイドピン３７では、例えばカートリッジ１を記録再生装置７０等から取り出したときに誤って床に落下させる等して外部からの衝撃や振動等といった応力が外筐となるカートリッジ本体２を介して内部にまで加わったとしても、切り欠かれた空間部であるスリット溝３８で外部からの応力を吸収し、ガイド孔５３から外れてしまうことを防ぐことができる。
【００４５】
具体的には、図８に示すように、ガイドピン３７に外部から応力が加わったときに、２つ割りにされたガイドピン３７のうちの外部より応力が加わった一片が、スリット溝３８側に弾性変形して倒れ込むことで外部からの応力を吸収する。なお、外部からの応力が加わって弾性変形したガイドピン３７の一片は、外部からの応力を吸収すると、復元して元の状態に戻る。
【００４６】
ところで、カートリッジ１においては、上述したように記録再生装置７０から排出させるときに床に落下させる虞がある。すなわち、後述する一対のシャッタ部材５ａ，５ｂが開口部２４を閉塞しているときに床に落下させる虞があり、このときにガイドピン３７がガイド孔５３から外れないようにさせることが重要である。また、ガイドピン３７においては、落下や振動等をいった外部からの応力は、ガイド孔５３の内側面より伝わる、すなわちガイド孔５３の短尺方向から伝わることから、この外部からの応力を効率よく吸収することが重要である。
【００４７】
このため、ガイドピン３７において、図９に示すように、スリット溝３８は、後述する一対のシャッタ部材５ａ，５ｂが開口部２４を閉塞しているときに、長孔状をなすガイド孔５３の長尺方向と略平行な方向に設けられるようにされている。これにより、ガイドピン３７においては、一対のシャッタ部材５ａ，５ｂが開口部２４を閉塞しているときに、外部からの応力がガイド孔５３の短尺方向から加わったとしても、スリット溝３８がガイド孔５３の長尺方向と略平行な方向に設けられていることにより、２つ割りにされたガイドピン３７のうち応力が加わった一片をスリット溝３８側に適切に倒し込むことができ、効率よく外部からの応力をスリット溝３８で吸収することができる。
【００４８】
さらに、下シェル７の内面に設けられたガイドピン３７にスリット溝３８を設けたことで、下シェル７を射出成形に形成したときに、下シェルの外面、すなわちカートリッジ１の表面のガイドピン３７に対応する位置にヒケマーク等が発生することを防止でき、外観不良を抑制できる。
【００４９】
下シェル７が構成するカートリッジ本体２の下面には、図３に示すように、記録再生装置７０に装着した際の位置決めを行う複数の位置決め用凹部３９が設けられている。また、カートリッジ本体２の両側面部には、記録再生装置７０に装着した際の位置決めや、ディスクカートリッジの種類の判別等を行う複数の切欠部４０が設けられている。
【００５０】
インナーロータ４は、図１０及び図１１に示すように、ポリオキシメチレン（ＰＯＭ）等の熱可塑性を有する樹脂材料を射出成形することにより形成されている。このインナーロータ４の主面４ａには、光ディスク３が信号記録面３ａを対向させるようにして載置される。そして、この主面４ａは、図６に示すように、カートリッジ本体２内に配設されたとき、上シェル６の内周壁１１とでディスク収納部２ａを構成する。
【００５１】
このインナーロータ４は、略円盤状に形成されており、その外周縁部には、上述した上シェル６のガイド溝１３に係合される略円環状のリング部４３が立設されている。そして、このインナーロータ４は、上シェル６のガイド溝１３にリング部４３が係合されることによって、カートリッジ本体２に対して回動可能に支持されている。
【００５２】
リング部４３と主面４ａとの間の角部には、内側に肉厚にされたテーパー部４ｂが設けられている。これにより、インターロータ４においては、このテーパー部４ｂに主面４ａ上に載置される光ディスク３の周縁部３ｃだけが当接するようにされ、光ディスク３の信号記録面３ａが主面４ａに当接しないようにされている。すなわち、インナーロータ４においては、主面４ａ上に載置される光ディスク３の信号記録面３ａが主面４ａと接触して損傷しないように、主面４ａと光ディスク３の信号記録面３ａとが所定の間隔を以て離間した状態で光ディスク３が主面４ａ上に載置される。
【００５３】
インナーロータ４には、図１０及び図１１に示すように、下シェル７に設けられた開口部２４と略同じ大きさの開口部４４が形成されている。そして、開口部４４が設けられた領域のリング部４３は、連結部４３ａによって連結されている。
【００５４】
また、リング部４３の外周面には、インナーロータ４を回動させるためのギヤ部４５が形成されている。このギヤ部４５は、図１２に示すように、インナーロータ４が下シェル７の開口部２４の閉塞位置にあるときに、上述したロータ用開口部３５ｂの前面側から外部に臨む位置と、図１３に示すインナーロータ４が下シェル７の開口部２４を開放した開放位置にあるときに、上述したロータ用開口部３５ｂの背面側から外部に臨む位置との間の領域に亘って形成されている。
【００５５】
このギヤ部４５の一方の側には、記録再生装置７０側のシャッタ開放機構を構成するシャッタ開放部材の第１の係合突起が係合される第１の係合凹部４１が形成され、ギヤ部４５の他方の側には、シャッタ開放部材の第２の係合突起が係合される第２の係合凹部４２が形成されている。これら係合凹部４１，４２は、ギヤ部４５と共にロータ用開口部３５ｂより外部に臨む。第１の係合凹部４１は、カートリッジ１を記録再生装置７０に装填したとき、最初にシャッタ開放部材の第１の係合突起が係合される。第２の係合凹部４２は、後述するシャッタ部材５ａ，５ｂが閉塞位置にあるとき、ロック部材２９のストッパ突部３３ａが係合されると共に、シャッタ部材５ａ，５ｂが開口部２４，４４の開放位置に移動したとき、シャッタ開放部材の第２の係合突起が係合される。
【００５６】
また、リング部４３の外周面には、インナーロータ４の回動量を規制するための一対の回動規制突部４６ａ，４６ｂが互いに所定の間隔を有して突出形成されている。一方、上シェル６には、ガイド溝１３と上側コーナ壁１５との間に位置して、回動規制突部４６ａ，４６ｂと当接される一対の規制部４７ａ，４７ｂが形成されている。図１３に示すように、インナーロータ４が開口部２４を開放する方向に回転することによって、一方の回動規制突部４６ａが一方の規制部４７ａと当接し、インナーロータ４の更なる回転を規制する。
【００５７】
この方向のインナーロータ４の回転が規制されたとき、インナーロータ４は、開口部２４の開放位置にあり、インナーロータ４の開口部４４とカートリッジ本体２の開口部２４とが略一致した状態となる。一方、図１２に示すように、インナーロータ４が開口部２４を閉塞する方向に回転することによって、他の回動規制突部４６ｂが他の規制部４７ｂと当接し、インナーロータ４の更なる回転を規制する。この方向のインナーロータ４の回転が規制されたとき、インナーロータ４は、開口部２４の閉塞位置にあり、インナーロータ４の開口部４４がカートリッジ本体２の開口部２４に対して最も傾いた状態となる。
【００５８】
リング部４３の先端面には、図１２及び図１３に示すように、上述したガイド溝１３の一対のリフトアップ用凸部１４と摺接される一対のリフトアップ用凸部４８が突出形成されている。インナーロータ４が開口部２４の閉塞位置の直近に位置するときには、このリフトアップ用凸部４８がガイド溝１３のリフトアップ用凸部１４と摺接しながら乗り上げることによって、インナーロータ４が上シェル６から離間する方向に持ち上げられる。
【００５９】
また、インナーロータ４には、図１０乃至図１３に示すように、リング部４３が突出する側とは反対側の主面に位置して、一対のシャッタ部材５ａ，５ｂをそれぞれ回動可能に支持する一対の支軸４９ａ，４９ｂが突出形成されている。この一対の支軸４９ａ，１９ｂは、インナーロータ４の中心部に対して点対称な位置、すなわち互いに１８０゜の位相差を有して配置されている。
【００６０】
このようなインナーロータ４に取り付けられる開口部４４を開閉する一対のシャッタ部材５ａ，５ｂは、図１４及び図１５に示すように、互いに対称な形状にされており、インナーロータ４の一対の支軸４９ａ，４９ｂを中心に、１８０゜の位相差を有して回動可能に取り付けられている。なお、一対のシャッタ部材５ａ，５ｂにおける同等な部位については、まとめて説明すると共に、図面において同じ符号を付すものとする。
【００６１】
このシャッタ部材５ａ，５ｂは、上述したインナーロータ４と同様に、ポリオキシメチレン（ＰＯＭ）等の熱可塑性を有する樹脂材料を射出成形することにより形成されている。このシャッタ部材５ａ，５ｂは、略半円平板状に形成されており、基端部には、上述したインナーロータ４の支軸４９ａ，４９ｂに回動可能に係合される係合孔５０ａ，５０ｂが形成されている。
【００６２】
また、一対のシャッタ部材５ａ，５ｂの突き合わせ面となる弦線部分には、中央部から基端部に向かって第１の係合部５１と、中心部から先端部に向かって第２の係合部５２とが形成されている。このうち、第１の係合部５１は、下シェル７側が傾斜面とされており、第２の係合部５２は、上シェル６側が傾斜面とされている。
【００６３】
そして、一対のシャッタ部材５ａ，５ｂは、図１６及び図１７に示すように、インナーロータ４の支軸４９ａ，４９ｂを中心として、互いに近接離間する方向に回動されることによって、一方のシャッタ部材５ａの第１の係合部５１と他方のシャッタ部材５ｂの第２の係合部５２とが係合されると共に、他方のシャッタ部材５ｂの第１の係合部５１と一方のシャッタ部材５ａの第２の係合部５２とが係合される。
【００６４】
また、シャッタ部材５ａ，５ｂには、図５に示すように、下シェル７の内面に突出形成された後述する一対のガイドピン３７とそれぞれ係合されるガイド孔５３が形成されている。このガイド孔５３は、図１４及び図１５に示すように、シャッタ部材５ａ，５ｂが開口部４４の閉塞位置と開放位置との間で回動されるように、弧線部分の中途部から係合孔５０ａ，５０ｂに向かって所定の長さで形成された長孔である。ガイド孔５３の外周側の端部には、シャッタ部材５ａ，５ｂが閉塞位置にあるときに、下シェル７のガイドピン３７が係合される係合部５４と、この係合部５４に係合されたガイドピン３７を押圧する弾性を有する押圧片５５とが形成されている。
【００６５】
ところで、下シェル７の開口部２４の周縁部には、図５に示すように、内部に塵埃等が侵入することを防止するための防塵リブ５６が設けられている。この防塵リブ５６には、下シェル７の前面側及び背面側の外周壁２１とそれぞれ連結する部分が高くなるように補助リブ５６ａ，５６ｂ，５６ｃ，５６ｄが設けられている。この防塵リブ５６は、シャッタ部材５ａ，５ｂが開口部４４を閉塞するとき、シャッタ部材５ａ，５ｂに設けられた防塵溝５７に係合される。
【００６６】
また、インナーロータ４には、図１６及び図１７に示すように、一対の支軸４９ａ，４９ｂの近傍に、防塵リブ５６と防塵溝５７との係合状態を解除する解除用凸部５８が突出形成されている。この解除用凸部５８は、防塵リブ５６と略同等の高さで形成されており、シャッタ部材５が開口部４４の閉塞位置から開放位置へと移動する際に、この防塵リブ５６と防塵溝５７との係合を解除する。
【００６７】
また、一対のシャッタ部材５ａ，５ｂは、図１４及び図１５に示すように、閉塞位置にあるときに、防塵リブ５６の一部である補助リブ５６ａ，５６ｃと係合する第１の係合片５９ａと、補助リブ５６ｂ，５６ｄと係合される第２の係合片５９ｂとが形成されている。さらに、シャッタ部材５ａ，５ｂには、第２の係合部５２の先端部側に、防塵リブ５６の一部を構成する補助リブ５６ｂ及び補助リブ５６ｄが係合する切欠部６０が形成されている。
【００６８】
以上のような構成のカートリッジ１には、上述した構成の他に、図２に示すように、上シェル６の内面略中央部にクランピングプレート６１が配設される。このクランピングプレート６１は、記録再生装置７０のディスク回転駆動部を構成するディスクテーブル７６と共に光ディスク３を挟持し、取り付けリング６１ａによって上シェル６に取り付けられている。
【００６９】
具体的に、クランピングプレート６１は、取り付けリング６１ａと上シェル６の内面略中央部とで挟み込むようにし、取り付けリング６１ａを上シェル６の内面略中央部に溶着等によって固定することで取り付けられる。そして、光ディスク３は、センタ孔３ｂにディスクテーブルが係合し、さらにディスクテーブル７６とクランピングプレート６１とで挟持されることによりディスク収納部２ａ内で回転可能な状態となる。
【００７０】
次に、以上のように構成されるカートリッジ１の組み立て方法について説明すると、先ず、インナーロータ４の主面４ａに光ディスク３を載置した状態でインナーロータ４のリング部４３を上シェル６のガイド溝１３に係合させる。このとき、インナーロータ４の開口部４４と上シェル６の第１及び第２のピックアップ進入用凹部９，１２とが一致するように、上シェル６に対するインナーロータ４の位置合わせを予め行っておく。また、光ディスクのセンタ孔３ｂにも、上シェル６の内面略中央部に取り付けられたクランピングプレート６１を係合させる。
【００７１】
次に、このインナーロータ４に一対のシャッタ部材５ａ，５ｂを取り付ける。具体的には、一対のシャッタ部材５ａ，５ｂの突き合わせ面を互いに対向させた状態で、係合孔５０ａ，５０ｂをインナーロータ４の支軸４９ａ，４９ｂに係合させる。これにより、一対のシャッタ部材５ａ，５ｂがインナーロータ４の支軸４９ａ，４９ｂを中心に回動可能に取り付けられる。
【００７２】
また、インナーロータ４の開口部４４の端縁部に一対のシャッタ部材５ａ，５ｂの突き合わせ面が沿うように、インナーロータ４に対する一対のシャッタ部材５ａ，５ｂの位置合わせを予め行っておく。さらに、これと同時或いは前後して、ロック部材２９の係合孔３１に支軸２５を挿通しロック部材２９を取り付けると共に、誤記録防止部材３０を配設する。
【００７３】
次に、この上シェル６に下シェル７を結合する。すなわち、上シェル６と下シェル７の外周壁８，２１を突き合わせ、上シェル６側の位置決め用凹部１０と下シェル７側の位置決め壁２２とを係合させる。
【００７４】
また、上シェル６側の位置決めピン２０と下シェル７側の位置決めキャップ２８とが嵌合される。さらに、上シェル６側の第１の溝部１６、第２の溝部１７及び第３の溝部１９には、下シェル７側の防塵周壁２３、下側コーナ周壁２６及び下側立ち上がり壁２７がそれぞれ係合される。
【００７５】
さらに、シャッタ部材５ａ，５ｂのガイド孔５３には、下シェル７側のガイドピン３７を係合させる。このとき、上述したインナーロータ４に対する一対のシャッタ部材５ａ，５ｂの位置合わせを予め行っておくことによって、下シェル７と一対のシャッタ部材５ａ，５ｂとの位置合わせを容易に行うことができる。
【００７６】
そして、位置決めピン２０のねじ孔に位置決めキャップ２８の貫通孔を通して止めねじを螺合する。これにより、上シェル６に下シェル７が結合され、カートリッジ本体２が構成される。このとき、インナーロータ４及び一対のシャッタ部材５ａ，５ｂは、開口部２４，４４の開放位置にある。
【００７７】
次に、この状態からギヤ部４５を操作して、インナーロータ４を開口部２４，４４が閉塞する方向に回転させることにより、一対のシャッタ部材５ａ，５ｂがカートリッジ本体２の開口部２４を閉塞した状態となる。
【００７８】
以上により、カートリッジ１の組み立て作業が完了する。このように、本発明を適用したカートリッジ１では、使用される構成部品の数が少なく、しかも極めて簡単に組み立て作業を行うことができる。また、カートリッジ１は、構成部品にコイルバネや板バネ等の付勢部材等を用いないことから組み立て作業が容易となる。
【００７９】
なお、上シェル６に対する下シェル７の固定方法としては、上述した止めねじ等の手段に限らず、接着剤、超音波溶着等を用いて上シェル６と下シェル７とを接合一体化させることも可能である。
【００８０】
上述したような構成を有するカートリッジ１が記録再生装置に装着される前には、図１、図３及び図１８に示すような状態になっている。すなわち、一対のシャッタ部材５ａ，５ｂは、インナーロータ４の第２の係合凹部４２にロック部材２９のストッパ突部３３ａが係合され、開口部２４，４４の閉塞位置にロックされている。
【００８１】
このとき、インナーロータ４の第１の係合凹部４１は、ロータ用開口部３５より外部に臨まされ、ロック部材２９の操作突部３２ａは、ロック用開口部３５ａより外部に臨まされ、記録再生装置に装填されたとき、記録再生装置側のシャッタ開放機構がシャッタロックを解除し、一対のシャッタ部材５ａ，５ｂを回動操作することができるようになっている。
【００８２】
そして、図１９に示すように、上シェル６側のリフトアップ用凸部１４にインナーロータ４側のリフトアップ用凸部４８が乗り上げた状態となり、一対のシャッタ部材５ａ，５ｂは、インナーロータ４と下シェル７とによって両側から挟持された状態となる。これにより、一対のシャッタ部材５ａ，５ｂは、非使用時において、開口部２４，４４を適切に閉塞させることになる。この状態で、カートリッジ１は、記録再生装置７０に装填されることになる。
【００８３】
以上のように構成されるカートリッジ１では、図２０に示すような記録再生装置７０が用いられる。この記録再生装置７０は、光ディスク３を内部にディスク収納部２ａに収納されたディスクカートリッジの記録再生装置であり、本発明が適用されたカートリッジ１は、この記録再生装置７０に装填することができるようになっている。
【００８４】
ここで、この記録再生装置７０について図２０を用いて説明すると、この記録再生装置７０は、内部にカートリッジ１の装着部等が設けられた本体部が配設される外装ケース７１を有する。そして、この外装ケース７１の前面部には、カートリッジ１が挿入される挿入口７２が設けられ、この挿入口７２は、開閉蓋７３により閉塞されている。この開閉蓋７３は、カートリッジ１の前面部により押圧されることによって、内方に回動し挿入口７２を開放し、カートリッジ１が外装ケース７１内に挿入されるようにする。外装ケース７１内に配設された本体部は、図２１に示すように、カートリッジ１を装着部に装着するためのローディング機構が設けられており、このローディング機構は、挿入口７２よりカートリッジ１が前面側を挿入端として挿入されると、このカートリッジ１を装着部まで自動的に引き込む。
【００８５】
この装着部には、光ディスク３をＣＬＶ（Constant Linear Velocity）、ＣＡＶ（Constant Angular Velocity）又はこれらの組み合わせで回転するディスク回転駆動機構７４や光ピックアップ７５が設けられている。ディスク回転駆動機構７４は、スピンドルモータの駆動軸に一体的に回転するように取り付けられたディスクテーブル７６を有している。カートリッジ１が装着部に位置決めされた状態で装着されると、ディスクテーブル７６は、光ディスク３のセンタ孔３ｂに係合すると共に、カートリッジ本体２内に設けられたクランピングプレート６１とで光ディスク３を回転可能に保持する。そして、スピンドルモータが駆動することによって、ディスクテーブル７６は、光ディスク３をＣＬＶ、ＣＡＶ等で回転する。
【００８６】
光ピックアップ７５は、半導体レーザより出射された波長が４００ｎｍ程度の光ビームを対物レンズで集光し、光ディスク３の信号記録面３ａに照射し、この信号記録面３ａで反射された戻りの光ビームを検出することによって、光ディスク３にデータを記録し、又は光ディスク３に記録されたデータの読み出しを行う。
【００８７】
また、この装着部には、カートリッジ１が装着されるとき、インナーロータ４を回転し、シャッタ部材５ａ，５ｂを回動操作するシャッタ開放機構を構成するシャッタ開放部材８０が設けられている。このシャッタ開放部材８０は、図２２に示すように、インナーロータ４のギヤ部４５に噛合されるラック部８１と、このラック部８１の先端側に設けられた初期動作用の第１の係合突部８２と、ラック部８１の基端側に設けられたストッパ用の第２の係合突部８３等を備えている。ラック部８１は、ギヤ部４５と略同数の歯を有している。
【００８８】
第１の係合突部８２は、ラック部８１の先端側に設けられた第１の弾性片８４の先端部に設けられ、第２の係合突部８３は、ラック部８１の他端側に設けられた第２の弾性片８５の先端側に設けられ、インナーロータ４の係合凹部４１，４２に確実に係合できるようになっている。
【００８９】
このようなシャッタ開放部材８０は、カートリッジ１が装着部に装着されたとき、カートリッジ１に対して直線移動し、シャッタ部材５ａ，５ｂの操作をするようにしてもよく、また、本体側に固定しておき、カートリッジ１の装着部までの移動によってシャッタ部材５ａ，５ｂを操作するようにしてもよい。
【００９０】
そして、カートリッジ１は、図２１に示すように、前面を挿入端として、開閉蓋７３を押圧するようにして挿入口に挿入され、シャッタ部材５ａ，５ｂの開放動作が開始すると、先ず、図２３に示すように、シャッタ開放部材８０は、カートリッジ１のガイド溝３６に係合し、第１の係合突部８２は、ガイド溝３６に設けられているロック用開口部３５ａより外部に臨まされているロック部材３２の操作突部３２ａを押圧する。これにより、ロック部材２９は、支軸２５を中心に回動し、ストッパ突部３３ａは、インナーロータ４の第２の係合凹部４２との係合状態が解除される。この結果、インナーロータ４は、ロックが解除され、回転可能な状態となる。さらに、シャッタ開放部材８０がカートリッジ１の前方に進むと、ラック部８１がロック部材３２の操作突部３２ａを押圧し続けることで、インナーロータ４のロック状態を解除した状態を保持する。
【００９１】
そして、第１の係合突部８２は、図２４に示すように、インナーロータ４のロータ用開口部３５ｂより外部に臨まされている第１の係合凹部４１に係合し、インナーロータ４を回動可能な状態にし、更にシャッタ開放部材８０がカートリッジ１の前方に進むことでインナーロータ４を回動する。このとき、リフトアップ用凸部１４，４８の相互の係合は解除され、インナーロータ４は、摩擦力が低減することで、弱い力で円滑に回転するようになる。そして、シャッタ開放部材８０のラック部８１は、ロータ用開口部３５ｂより外部に臨まされているギヤ部４５に噛合する。
【００９２】
さらに、シャッタ開放部材８０がカートリッジ１の前方に進むと、インナーロータ４のギヤ部４５にラック部８１が噛合しているシャッタ開放部材８０は、図２５に示すように、インナーロータ４を回転する。これによって、インナーロータ４のガイドピン３７にガイド孔５３が係合され、支軸４９ａ，４９ｂに軸支されたシャッタ部材５ａ，５ｂは、支軸４９ａ，４９ｂを回動支点として、開口部２４，４４を開放する方向に回動する。
【００９３】
そして、シャッタ開放部材８０のラック部８１とインナーロータ４のギヤ部４５との噛合状態が終了すると、図２６に示すように、シャッタ部材５ａ，５ｂの回動動作が停止し、次いで、シャッタ開放部材８０の第２の係合突部８３は、インナーロータ４の第２の係合凹部４２と係合する。これによって、シャッタ部材５ａ，５ｂは、開口部２４，４４を完全に解放した状態が保持されることになる。
【００９４】
この後、開口部２４ｂからは、ディスク回転駆動機構７４を構成するディスクテーブル７６が進入し、このディスクテーブル７６は、光ディスク３のセンタ孔３ｂに係合すると共にクランピングプレート６１とで光ディスク３を回転可能にクランプする。また、開口部２４ａからは、光ピックアップ７５が進入する。そして、光ディスク３は、ディスク回転駆動機構７４によって回転駆動され、信号記録面３ａに光ピックアップ７５から出射された光ビームが照射され、光ピックアップ７５が信号記録面３ａで反射された戻りの光ビームを検出することで、データの記録を行い、また、光ディスク３に記録されたデータの読み出しを行う。
【００９５】
一方、この記録再生装置７０からカートリッジ１を排出する際は、例えば記録再生装置７０の操作部を構成する排出ボタンを操作する。これにより、ローディング機構が排出動作を行い、カートリッジ１は、挿入口７２側に移動し、上述したシャッタ開放部材８０が相対的にカートリッジ１より後退することになる。このシャッタ開放部材８０が後退することによって、インナーロータ４及び一対のシャッタ部材５ａ，５ｂが上述したディスク挿入時とは逆の動作、すなわちインナーロータ４が他の方向に回転し、一対のシャッタ部材５ａ，５ｂがカートリッジ本体２の開口部２４を閉塞する。
【００９６】
以上のようなカートリッジ１では、下シェル７に設けられたガイドピン３７に、先端部３７ａから基端部３７ｂに向かって切り欠かれたスリット溝３８が設けられている。これにより、カートリッジ１では、例えば記録再生装置７０から挿入するときや排出するとき等に誤って床に落下させる等して外部から衝撃や振動等の応力がガイドピン３７に加わったとしても、切り欠かれた空間部であるスリット溝３８で外部からの応力を適切に吸収してガイド孔５３からガイドピン３７が外れてしまうことを防止できる。すなわち、カートリッジ１においては、誤ってカートリッジ１を落下させても、ガイド孔５３からガイドピン３７が外れることがなく、円滑且つ適切なシャッタ開閉動作を行うことができる。
【００９７】
また、カートリッジ１においては、外筐となる下シェル７の内面に設けられたガイドピン３７にスリット溝３８を設けたことで、下シェル７を射出成形に形成したときに、下シェル７の外面のガイドピン３７に対応する位置にヒケマーク等が発生することを防止でき、外観不良を抑えることができ、歩留まりの向上、低価格化を図ることができる。
【００９８】
以上では、略円柱状をなすガイドピン３７にスリット溝３８を設けた場合を例に挙げて説明したが、図２７に示すように、例えば先端に向かうにつれて太くなる、すなわち基端から先端に向かって拡径するようなガイドピン９１にスリット溝９２を設けても上述したガイドピン３７と同様の作用効果を得ることができる。なお、以下の説明では、ガイドピン９１、スリット溝９２、ガイド孔９３以外の構成は、上述したカートリッジ１と同様な構成及び同様な機能であることから、その説明を省略すると共に図２７においては同じ符号を付すものとする。
【００９９】
この場合、ガイドピン９１が係合されるガイド孔９３は、短尺方向の開口幅が下シェル７側よりインナーロータ４側で幅広となるようにさせ、下シェル７側の短尺方向の開口幅がガイドピン９１の先端の幅より幅狭になるようにさせる。
【０１００】
具体的に、ガイドピン９１及びガイド孔９３は、例えばガイドピン９１の先端部９１ａの直径をＡ１、ガイドピン９１の基端部９１ｂの直径をＡ２、ガイド孔９３のインナーロータ４側の短尺方向の幅をＢ１、ガイド孔９３の下シェル７側の短尺方向の幅をＢ２としたときに、Ｂ１＞Ａ１＞Ｂ２＞Ａ２の寸法関係を満たすようにさせる。
【０１０１】
これにより、ガイドピン９１は、例えば誤ってカートリッジ１を落下させる等して外部から応力が加わっても、先端部９１ａの直径がガイド孔９３の下シェル７側の短尺方向の幅より幅広にされ、抜け止め部となっていることから、先端部９１ａがガイド孔９３から外れることを適切に防止できる。すなわち、ガイドピン９１においては、スリット溝９２が応力を吸収する作用効果の他に、ガイド孔９３から外れることを適切に防止できるといった作用効果も得ることができる。
【０１０２】
このガイドピン９１は、その先端部９１ａの直径がガイド孔９３の下シェル７側の短尺方向の幅より幅広にされ、抜け止め部となっていることから、ガイド孔９３に直接係合させることは困難である。このため、ガイド孔９３においては、図２８に示すように、長尺方向における係合部５４が設けられた一端とは反対側の他端に、先端部９１ａが幅広にされたガイドピン９１を軸方向に挿入することが可能な大きさにされ、ガイドピン９１を長孔内に係合させるときの入口となる挿入孔９３ａを設けている。この挿入孔９３ａの位置は、シャッタ部材５ａ，５ｂが開口部２４，４４を完全に解放したときのガイドピン９１の位置でもある（図２６参照）。カートリッジ１は、記録再生装置７０に装着されたとき、大きな振動が加わることがないことから、ガイドピン９１が挿入孔９３ａを介してガイド孔９３より外れてしまうこともない。
【０１０３】
そして、ガイドピン９１をガイド孔９３に係合させる際は、一旦、ガイドピン９１をガイド孔９３の他端に設けられた挿入孔９３ａに挿入した後に、ガイドピン９１をガイド孔９３の長尺方向に移動させることでガイドピン９１をガイド孔９３に係合させる。これにより、ガイドピン９１を容易にガイド孔９３に係合することができる。
【０１０４】
また、以上では、基端から先端に向けて徐々に拡径され、ガイド孔９３から外れにくいガイドピン９１について説明したが、図２９に示すガイドピン９５のように、例えば先端部９５ａだけを幅広にして抜け止め部とし、スリット溝９６を設けた構成でも上述したガイドピン９１と同様の作用効果を得ることができる。
【０１０５】
この場合、ガイドピン９５が係合されるガイド孔９７は、インナーロータ４側にガイドピン９５の幅広にされた先端部９５ａに対応する薄肉の逃げ部９７ａを設けることでガイドピン９５が容易に外れないようにできる。また、この場合も、上述したガイド孔９３と同様、ガイド孔９７の他端に図示しない挿入孔を設けることで、ガイドピン９５を容易にガイド孔９７に係合することができる。また、先端部９５ａは、逃げ部９７ａより下シェル４側に突出することもなく、インナーロータ４の内面に接触し、摩耗による塵埃等を発生も防止されている。なお、この逃げ部９７ａは、一方の側に設けるだけであっても良い。
【０１０６】
なお、以上の例では、カートリッジ本体２の前面から中央部に亘って開口部２４を設けた例を説明したが、本発明は、図３０及び図３１に示すようなカートリッジ１０１にも適用可能である。このカートリッジ１０１は、記録再生装置７０への挿入方向と略平行に、前面から背面側に亘って開口部１０２が設けられている。具体的に、この開口部１０２は、下面側であって、前面略中央部から背面略中央部に亘って略矩形状に設けられている。そして、この開口部１０２の前面側と背面側は、光ピックアップが進入する記録再生用の開口部１０２ａ，１０２ｂとして用いられ、中央部は、ディスク回転駆動機構が進入する駆動用の開口部１０２ｃとして用いられる。また、このカートリッジ１０１に用いられるインナーロータ１０４にも、開口部１０２ａ，１０２ｂに対応して略同じ大きさに開口部１０４ａが設けられている。なお、このカートリッジ１０１は、他の構成を上述したカートリッジ１と共通とするため、詳細な説明は省略すると共に図２８においては同じ符号を付すものとする。
【０１０７】
そして、このカートリッジ１０１は、記録再生装置に装填されると、記録再生装置側のシャッタ開放機構によりシャッタ部材５ａ，５ｂが操作されることにより開口部１０２が開放され、光ディスク３が外部に臨まされる。光ディスク３は、開口部１０２ｃよりカートリッジ内に進入した記録再生装置側のディスク回転駆動機構によりクランプされ、回転される。
【０１０８】
また、開口部１０２ａ，１０２ｂのそれぞれには、光ピックアップが進入する。そして、それぞれの光ピックアップは、光ディスク３に光ビームを照射し、光ディスク３の信号記録面で反射された戻りの光ビームを検出することによって、データが記録され、また、光ディスク３に記録されているデータの読み出しが行われる。したがって、このカートリッジ１０１では、記録再生時、２つの光ピックアップを用いてデータの記録再生が行われることから、記録再生に要する時間の短縮を図ることができる。
【０１０９】
このカートリッジ１０１は、連続した開口部１０２ａ，１０２ｂ，１０２ｃを設けるために、下シェル７が２分割されている。したがって、２分割された下シェル７ａ，７ｂは、カートリッジ１の分割されていない下シェル７と比べて機械的強度が低下し、衝撃等が加わったとき撓み変形しやすくなる。上述したガイドピン９１，９５は、先端部９１ａ，９５ａが幅広に形成され、ガイド孔９３，９７に係合されるものであるから、２分割された下シェル７ａ，７ｂのカートリッジ１０１に特に有効である。
【０１１０】
更に上述したガイドピン３７，９１，９５は、、図３２に示すように構成することができる。以下の例では、図３１に示したカートリッジ１０１を例に説明する。図３２及び図３３に示すように、ガイドピン１１０は、下シェル７ａ，７ｂの内面に形成されており、略円柱状の軸部１１０ａの先端部に、略半円状に張り出した抜け止め部１１１が形成されている。
【０１１１】
一方、このガイドピン１１０が係合されるガイド孔１１２は、図３２及び図３３に示すように、ガイドピン１１０の移動方向に沿った両側の側縁部に、ガイドピン１１０の先端部の抜け止め部１１１の逃げ部１１２ａが形成されている。この逃げ部１１２ａは、周囲より薄肉に形成され、周囲より１段低くなるように形成されている。抜け止め部１１１は、シャッタ部材５ａ，５ｂが回動する間、この逃げ部１１２ａに係合することによって、ガイドピン１１０のガイド孔１１２からの抜け止めを行っている。また、逃げ部１１２ａは、抜け止め部１１１が下シェル４側に突出しないようにし、インナーロータ４の内面に接触し、摩耗による塵埃等を発生も防止する。
【０１１２】
また、図３３に示すように、ガイド孔１１２の逃げ部１１２ａの端面には、傾斜面部１１２ｃが形成されている。この傾斜面部１１２ａは、ガイドピン１１０の軸部１１０ａと接触する部分であり、軸部１１０ａとの接触を面接触ではなく線接触となるようにし、摩擦抵抗を少なくし、円滑にシャッタ部材５ａ，５ｂが移動するようにしている。
【０１１３】
このガイドピン１１０は、その先端部に拡径した抜け止め部１１１が形成されているため、ガイド孔１１２に直接係合させることは困難である。このため、ガイド孔１１２は、シャッタ部材５ａ，５ｂが開口部２４，４４を完全に解放したときのガイドピン９１の位置に、ガイドピン１１０の挿入孔１１２ｂが形成されている。この挿入孔１１２ｂは、抜け止め部１１１の大きさに対応して設けられている。挿入孔１１２ｂが設けられた位置は、カートリッジ１０１が記録再生装置７０に装着されシャッタ部材５ａ，５ｂが開口部２４，４４を完全に解放したときの位置であり、振動が加わることが少ない状態であるから、挿入孔９３ａよりガイドピン１１０が抜けてしまうことも防止することができる。
【０１１４】
上述のように、ガイドピン１１０は、抜け止め部１１１を形成することによって、アンダーカット形状をなしている。このアンダーカット形状をなすガイドピン１１０は、図３４に示す金型によって成形することができる。すなわち、ガイドピン１１０が形成される下シェル７ａ，７ｂは、外形を成形する金型１２１と、ガイドピン１１０の一部を成形するピン成形型１２２と、ピン成形型１２２と共にガイドピン１１０を成形する傾斜ピン１２３とを有している。
【０１１５】
ピン成形型１２２は、金型１２１に組み込まれる入れ子であり、ガイドピン１１０の抜け止め部１１１が設けられていない側を成形する第１の成形部１２２ａが設けられている。傾斜ピン１２３は、ガイドピン１１０の抜け止め部１１１を成形する第２の成形部１２３ａが設けられており、傾斜ピン１２３は、ピン成形型１２２に対して斜めにスライドするようになっている。
【０１１６】
図３４（Ａ）に示すように、固定型と可動型とが型合わせされ樹脂材料が射出充填されるとき、金型１２１のキャビティを構成し下シェル７ａ，７ｂの内面形成面と面一をなすように、ピン成形型１２２と傾斜ピン１２３とが位置しており、ガイドピン１１０の成形部を構成している。そして、充填された樹脂材料が固化し離型されるとき、図３４（Ｂ）に示すように、傾斜ピン１２３がキャビティ方向に突出するように斜めにスライドする。これにより、ガイドピン１１０が成形された下シェル７ａ，７ｂの成形体は、金型１２１より離型される。
【０１１７】
以上のようなカートリッジ１０１では、図３５に示すように、記録再生装置７０に装填されていない非使用時にあって、ガイドピン１１０がガイド孔１１２の挿入孔１１２ｂが設けられていない側の端部に位置している。したがって、非使用時は、カートリッジ１０１が落下され大きな衝撃が加わることがあるが、ガイドピン１１０は、抜け止め部１１１が逃げ部１１２ａに係合していることから、ガイド孔１１２から外れてしまうことを防止することができる。
【０１１８】
そして、カートリッジ１０１が記録再生装置７０に挿入されると、図３６に示すように、ガイドピン１１０は、ガイド孔１１２の挿入孔１１２ｂ側に移動する。この際、抜け止め部１１１は、常に、ガイド孔１１２の逃げ部１１２ａに係合した状態で挿入孔１１２ｂ側に移動し、移動時に、ガイドピン１１０がガイド孔１１２より抜けてしまうことを防止することができる。ガイド孔１１２の挿入孔１１２ｂ側に移動したとき、ガイドピン１１０は、ガイド孔１１２の挿入孔１１２ｂ側に位置し、抜けやすい状態となるが、記録再生装置７０内では、カートリッジ１０１に落下時等に加わる大きな衝撃が加わることはないことから、ガイド孔１１２の挿入孔１１２ｂから抜けてしまうこともない。
【０１１９】
以上、ガイドピン１１０の先端部に半円状の抜け止め部１１１を形成し、ガイド孔１１２の一方の側に逃げ部１１２ａを設けた例を説明したが、この他に、抜け止め部１１１を円形に形成しても良くまた、ガイド孔１１２ａの一方の側側に、逃げ部１１２ａを設け、更に傾斜面部１１２ｃを設けるようにしても良い。また、抜け止め部１１１は、逃げ部１１２ａと係合する程度の張り出しであれば、その形状は特に限定されるものではない。また、この構成は、上述した下シェルが２つに分割されていないカートリッジ１にも適用することもできる。更に、ガイドピン１１０にも、先端側から基端側に亘ってスリット溝を設けて、襲撃吸収の機能を付加するようにしても良い。
【図面の簡単な説明】
【０１２０】
【図１】本発明を適用したカートリッジを上シェル側から見た斜視図である。
【図２】同カートリッジの分解斜視図である。
【図３】同カートリッジを下シェル側から見た斜視図である。
【図４】同カートリッジを構成する上シェルの内面側の平面図である。
【図５】同カートリッジを構成する下シェルの内面側の平面図である。
【図６】同カートリッジの断面図である。
【図７】同下シェルに設けられたガイドピンの断面図である。
【図８】同ガイドピンが外部からの応力を吸収している状態を示す断面図である。
【図９】ガイドピンとガイド孔との関係を示す平面図である。
【図１０】同カートリッジを構成するインナーロータの斜視図である。
【図１１】同インナーロータの斜視図である。
【図１２】同インナーロータが下シェルの開口部を閉塞した状態を示す平面図である。
【図１３】同インナーロータが下シェルの開口部を開放した状態を示す平面図である。
【図１４】同カートリッジを構成するシャッタ部を上シェル側から見た斜視図である。
【図１５】同シャッタ部を下シェル側から見た斜視図である。
【図１６】同インナーロータの開口部をシャッタ部が開放している状態を示す斜視図である。
【図１７】同インナーロータの開口部をシャッタ部が閉塞している状態を示す斜視図である。
【図１８】同シャッタ部が下シェルの開口部を閉塞している状態のカートリッジを示す平面図である。
【図１９】同インナーロータ側のリフトアップ用凸部と上シェル側のリフトアップ用凸部との係合状態を示す要部断面図である。
【図２０】同カートリッジに用いられる記録再生装置の外観斜視図である。
【図２１】同記録再生装置の装着部を説明する斜視図である。
【図２２】同記録再生装置に備わるシャッタ開放部材の斜視図である。
【図２３】同シャッタ部の開放初期状態を示す平面図である。
【図２４】同シャッタ開放部材のラック部とインナーロータのギヤ部とが噛合する状態を示す平面図である。
【図２５】同シャッタ部が開口部を開放している途中の状態を示す平面図である。
【図２６】同シャッタ部が開口部を開放した状態を示す平面図である。
【図２７】同ガイドピンの他の例を示す断面図である。
【図２８】同ガイド孔の他の例を示す平面図である。
【図２９】同ガイドピンの他の例を示す断面図である。
【図３０】同カートリッジの他の例を下シェル側から見た斜視図である。
【図３１】下シェルが２分割されたカートリッジの分解斜視図である。
【図３２】ガイドピンとガイド孔とを示す要部斜視図である。
【図３３】ガイドピントガイド孔の係合状態を示す断面図である。
【図３４】半円状の抜け止め部が形成された下シェルの成形金型の断面図であり、（Ａ）は、型締め時、（Ｂ）は離型時を示す。
【図３５】シャッタ部材が開口部を閉塞した非使用時の平面図である。
【図３６】シャッタ部材が開口部を開放した使用時の平面図である。
【図３７】従来のディスクカートリッジを下シェル側から見た斜視図である。
【図３８】同ディスクカートリッジの下シェルの開口部が開放した状態を示す斜視図である。
【図３９】同下シェルに設けられたガイドピンを示しており、同図（Ａ）はガイドピンがガイド孔に係合された状態を示す断面図であり、同図（Ｂ）はガイドピンがガイド孔より抜け出た状態を示す断面図であり、同図（Ｃ）はガイドピンがガイド孔より外れた状態を示す断面図である。
【符号の説明】
【０１２１】
１，１０１  カートリッジ  ２  カートリッジ本体、３  光ディスク、４  インナーロータ、５ａ，５ｂ  シャッタ部材、６  上シェル、７  下シェル、３７，９１，９５  ガイドピン、３７ａ，９１ａ，９５ａ  先端部、３７ｂ，９１ｂ  基端部、３８，９２，９６  スリット溝、５３，９３，９７  スリット孔、９３ａ  挿入孔、７０  記録再生装置、８０  シャッタ開放部材
【図１】
2005285310.tif 000003
【図２】
2005285310.tif 000004
【図３】
2005285310.tif 000005
【図４】
2005285310.tif 000006
【図５】
2005285310.tif 000007
【図６】
2005285310.tif 000008
【図７】
2005285310.tif 000009
【図８】
2005285310.tif 000010
【図９】
2005285310.tif 000011
【図１０】
2005285310.tif 000012
【図１１】
2005285310.tif 000013
【図１２】
2005285310.tif 000014
【図１３】
2005285310.tif 000015
【図１４】
2005285310.tif 000016
【図１５】
2005285310.tif 000017
【図１６】
2005285310.tif 000018
【図１７】
2005285310.tif 000019
【図１８】
2005285310.tif 000020
【図１９】
2005285310.tif 000021
【図２０】
2005285310.tif 000022
【図２１】
2005285310.tif 000023
【図２２】
2005285310.tif 000024
【図２３】
2005285310.tif 000025
【図２４】
2005285310.tif 000026
【図２５】
2005285310.tif 000027
【図２６】
2005285310.tif 000028
【図２７】
2005285310.tif 000029
【図２８】
2005285310.tif 000030
【図２９】
2005285310.tif 000031
【図３０】
2005285310.tif 000032
【図３１】
2005285310.tif 000033
【図３２】
2005285310.tif 000034
【図３３】
2005285310.tif 000035
【図３４】
2005285310.tif 000036
【図３５】
2005285310.tif 000037
【図３６】
2005285310.tif 000038
【図３７】
2005285310.tif 000039
【図３８】
2005285310.tif 000040
【図３９】
2005285310.tif 000041